(57)【特許請求の範囲】
【請求項１】
遊技者が遊技により獲得した遊技媒体である獲得媒体を受入れて計数する計数処理を行う計数手段と、
前記計数手段に対応して設けられ、当該計数手段が計数した獲得媒体数を記憶する記憶手段と、
前記計数手段に対応して設けられ、所定の発行操作の受付に応じて前記記憶手段が記憶する獲得媒体数を特定可能な記録媒体を発行する発行処理を行う発行手段と、
前記記憶手段が記憶する獲得媒体数を前記計数手段による計数処理に応じて加算する一方、前記発行処理に応じて当該計数手段による計数処理が終了したとして初期化する更新手段と、を備えた遊技場用システムにおいて、
前記計数手段に対応して設けられ、遊技者が遊技した遊技機ＩＤを特定可能な操作を対応付操作として受付ける対応付操作手段と、
前記対応付操作手段により対応付操作が受付けられた場合に、当該対応付操作により特定される遊技機ＩＤと前記対応付操作手段に対応する前記計数手段とを対応付け、当該対応付けにより同一の遊技機ＩＤに複数の前記計数手段を対応付けた場合に、それら計数処理中の複数の前記計数手段を対応付ける対応付処理を行う対応付手段と、
前記対応付手段により対応付けられた一方の前記計数手段に対応する前記記憶手段が記憶する獲得媒体数と他方の前記計数手段に対応する前記記憶手段が記憶する獲得媒体数とを合算する合算手段と、を備え、
前記発行手段は、対応する前記計数手段が前記対応付手段により他の前記計数手段と対応付けられた状態で所定の合算発行操作を受付けた場合に、前記合算手段により合算された獲得媒体数を特定可能な記録媒体を発行する合算発行処理を行い、
前記更新手段は、対応する前記計数手段が前記対応付手段により他の前記計数手段と対応付けられた状態で当該他の計数手段に対応する前記発行手段により前記合算発行処理が行われた場合に、対応する前記計数手段による計数処理が終了したとして前記記憶手段が記憶する獲得媒体数を初期化することを特徴とする遊技場用システム。
【請求項２】
前記計数手段に対応して設けられ、当該計数手段に対応する前記記憶手段が記憶する獲得媒体数を表示する表示手段を備え、
前記表示手段は、対応する前記計数手段が前記対応付処理により他の前記計数手段と対応付けられた場合に、当該他の計数手段及び当該他の計数手段が計数した前記獲得媒体数の少なくとも一方を特定可能に表示することを特徴とする請求項１に記載した遊技場用システム。
【請求項３】
遊技機側から出力される遊技信号であって、有価価値を対価として遊技機に対応する貸出装置から遊技者に貸出された遊技媒体数である貸出媒体数と、遊技機による遊技により払出された遊技媒体数である払出媒体数との合算値から、遊技機による遊技により使用された遊技媒体数である使用媒体数を減算した値であり、理論上の前記獲得媒体数を表す理論獲得媒体数を特定可能な遊技信号を受信する遊技信号受信手段と、
前記遊技信号受信手段が受信した前記理論獲得媒体数を特定可能な遊技信号により特定される理論獲得媒体数を遊技機毎に特定する理論獲得媒体特定手段と、
前記計数手段による計数処理が行われた場合に、遊技者が遊技した遊技機を特定して当該特定した遊技機について前記理論獲得媒体特定手段により特定された前記理論獲得媒体数と当該計数手段に対応する前記記憶手段が記憶する前記獲得媒体数とを照合する照合処理を行い、その照合結果に応じて所定のエラー報知を行う照合手段と、を備え、 前記照合手段は、前記対応付手段による対応付処理により複数の前記計数手段が対応付けられた場合は、前記計数手段に対応する前記記憶手段が記憶する獲得媒体数に代えて前記合算手段により合算された獲得媒体数を前記照合処理の対象とすることを特徴とする請求項１又は２に記載した遊技場用システム。
【請求項４】
前記発行手段は、前記合算発行処理の対象となる記録媒体に、対応付処理により対応付けられた複数の前記計数手段により計数処理された各々の獲得媒体数を特定可能な情報を記録することを特徴とする請求項１から３の何れか一項に記載した遊技場用システム。
【発明の詳細な説明】
【技術分野】
【０００１】
本発明は、遊技者が遊技により獲得した遊技媒体である獲得媒体を受入れて計数する計数処理を行う計数装置を複数備えている遊技場用システムに関する。
【背景技術】
【０００２】
遊技場では、遊技者が遊技により獲得した遊技媒体である獲得媒体を計数装置にて計数し、希望する景品と交換するようになっている。このような計数装置では計数した遊技媒体を特定可能な計数情報をレシート等の記録媒体に記録して発行（発券）するようにしている。又、近年では紙片のレシートに代わってＩＣカード等を記録媒体として採用し、発行処理を行う計数装置も見受けられる（例えば特許文献１参照）。
【先行技術文献】
【特許文献】
【０００３】
【特許文献１】特開２００１−４６７２５号公報
【発明の概要】
【発明が解決しようとする課題】
【０００４】
さて、遊技者が遊技すると、その遊技により非常に多数の遊技媒体を獲得することがある。この場合、非常に多数の遊技媒体を計数装置にて計数しようとすると、計数処理に要する計数時間が非常に長くなり、遊技者及び遊技場の双方にとって非常に煩わしい。又、遊技場としてはレシートとして発行する紙片のコストやＩＣカードの耐久性を考慮し、できるだけ無駄な発行処理を抑えたいと考える一方、遊技者としても自身が所持（管理）する記録媒体を少なくしたいと考えている。
【０００５】
本発明は、上記した事情に鑑みてなされたものであり、その目的は、遊技者が遊技により獲得した遊技媒体である獲得媒体を計数するのに要する計数時間を短縮することを可能とし、しかも、無駄な発行処理を抑えることを可能とする遊技場用システムを提供することにある。
【課題を解決するための手段】
【０００６】
請求項１に記載した発明は、遊技者が遊技により獲得した遊技媒体である獲得媒体を受入れて計数する計数処理を行う計数手段と、前記計数手段に対応して設けられ、当該計数手段が計数した獲得媒体数を記憶する記憶手段と、前記計数手段に対応して設けられ、所定の発行操作の受付に応じて前記記憶手段が記憶する獲得媒体数を特定可能な記録媒体を発行する発行処理を行う発行手段と、前記記憶手段が記憶する獲得媒体数を前記計数手段による計数処理に応じて加算する一方、前記発行処理に応じて当該計数手段による計数処理が終了したとして初期化する更新手段と、を備えた遊技場用システムにおいて、前記計数手段に対応して設けられ、遊技者が遊技した遊技機ＩＤを特定可能な操作を対応付操作として受付ける対応付操作手段と、前記対応付操作手段により対応付操作が受付けられた場合に、当該対応付操作により特定される遊技機ＩＤと前記対応付操作手段に対応する前記計数手段とを対応付け、当該対応付けにより同一の遊技機ＩＤに複数の前記計数手段を対応付けた場合に、それら計数処理中の複数の前記計数手段を対応付ける対応付処理を行う対応付手段と、前記対応付手段により対応付けられた一方の前記計数手段に対応する前記記憶手段が記憶する獲得媒体数と他方の前記計数手段に対応する前記記憶手段が記憶する獲得媒体数とを合算する合算手段と、を備え、前記発行手段は、対応する前記計数手段が前記対応付手段により他の前記計数手段と対応付けられた状態で所定の合算発行操作を受付けた場合に、前記合算手段により合算された獲得媒体数を特定可能な記録媒体を発行する合算発行処理を行い、前記更新手段は、対応する前記計数手段が前記対応付手段により他の前記計数手段と対応付けられた状態で当該他の計数手段に対応する前記発行手段により前記合算発行処理が行われた場合に、対応する前記計数手段による計数処理が終了したとして前記記憶手段が記憶する獲得媒体数を初期化するところに特徴を有する。
【０００７】
請求項２に記載した発明は、前記計数手段に対応して設けられ、当該計数手段に対応する前記記憶手段が記憶する獲得媒体数を表示する表示手段を備え、前記表示手段は、対応する前記計数手段が前記対応付処理により他の前記計数手段と対応付けられた場合に、当該他の計数手段及び当該他の計数手段が計数した前記獲得媒体数の少なくとも一方を特定可能に表示するところに特徴を有する。
【０００９】
請求項３に記載した発明は、遊技機側から出力される遊技信号であって、有価価値を対価として遊技機に対応する貸出装置から遊技者に貸出された遊技媒体数である貸出媒体数と、遊技機による遊技により払出された遊技媒体数である払出媒体数との合算値から、遊技機による遊技により使用された遊技媒体数である使用媒体数を減算した値であり、理論上の前記獲得媒体数を表す理論獲得媒体数を特定可能な遊技信号を受信する遊技信号受信手段と、前記遊技信号受信手段が受信した前記理論獲得媒体数を特定可能な遊技信号により特定される理論獲得媒体数を遊技機毎に特定する理論獲得媒体特定手段と、前記計数手段による計数処理が行われた場合に、遊技者が遊技した遊技機を特定して当該特定した遊技機について前記理論獲得媒体特定手段により特定された前記理論獲得媒体数と当該計数手段に対応する前記記憶手段が記憶する前記獲得媒体数とを照合する照合処理を行い、その照合結果に応じて所定のエラー報知を行う照合手段と、を備え、前記照合手段は、前記対応付手段による対応付処理により複数の前記計数手段が対応付けられた場合は、前記計数手段に対応する前記記憶手段が記憶する獲得媒体数に代えて前記合算手段により合算された獲得媒体数を前記照合処理の対象とするところに特徴を有する。
【００１０】
請求項４に記載した発明は、前記発行手段は、前記合算発行処理の対象となる記録媒体に、対応付処理により対応付けられた複数の前記計数手段により計数処理された各々の獲得媒体数を特定可能な情報を記録するところに特徴を有する。
【発明の効果】
【００１１】
請求項１に記載した発明によれば、複数の計数手段が計数処理中にあるときに、それら計数処理中の複数の計数手段を対応付け、それら複数の計数手段による計数値を合算し、各々の計数値を合算した獲得媒体数を特定可能な記録媒体を発行するようにしたので、遊技者が遊技により獲得した非常に多数の獲得媒体を計数する場合に、複数の計数手段による計数処理を同時に実行することができ、それら計数処理による計数値を合算した合算値を示す一つの記録媒体のみで発行することができる。これにより、遊技者が遊技により獲得した遊技媒体である獲得媒体を計数するのに要する計数時間を短縮することができ、しかも、無駄な発行処理を抑えることができる。
又、各々で計数した獲得媒体数を合算して記録媒体を発行する合算発行処理を行う場合は一人の遊技者が遊技により獲得した遊技媒体を複数の計数手段で計数するので、他の遊技者の計数値との混同を防止する必要があるが、同一の遊技機を遊技したことを条件として同一の遊技者を特定するようにしたので、その混同を防止することができる。
【００１２】
請求項２に記載した発明によれば、計数手段は遊技島の島端に設置されるのが一般的であるので、複数の計数手段が同時に計数しているときに一方の計数手段と他方の計数手段との双方の様子を伺うことは難しく、各々で計数した獲得媒体数を合算して記録媒体を発行する合算発行処理を行う場合も同様に、遊技者は一方の計数手段の計数状況を目視する一方で他方の計数手段の計数状況を伺い知ることが難しいが、他方の計数手段及び当該他方の計数手段が計数した獲得媒体数の少なくとも一方を特定可能に表示することにより、その計数手段が対応付られていることを特定することができ、その計数手段を扱っている人物（計数人物）を目視する等して確認することができる。又、他方の計数手段が計数している計数値を表示することにより、計数状況を把握することができる。
【００１４】
請求項３に記載した発明によれば、計数値と理論獲得媒体数とを照合することは不正防止という点で非常に有効であるが、各々で計数した獲得媒体数を合算して記録媒体を発行する合算発行処理を行う場合は合算値を照合対象とするようにしたので、計数値と理論獲得媒体数とを照合する照合処理を適切に行うことができる。
【００１５】
請求項４に記載した発明によれば、各々で計数した獲得媒体数を合算して記録媒体を発行する合算発行処理では他の遊技者の計数値との混同を防止する必要があるが、記録媒体に複数の計数手段による計数処理された獲得媒体数を特定可能な情報が記録されるので、仮に操作ミス等により混同した場合であっても、記録媒体により各計数値を特定することができ、適切に対応することができる。
【図面の簡単な説明】
【００１６】
【図１】本発明の一実施形態を示す全体構成図
【図２】計数装置の斜視図
【図３】管理装置が記憶保持する台毎持玉情報を示す図
【図４】管理装置から計数装置に送信される持玉情報を示す図
【図５】計数装置が記憶保持する計数中情報を示す図
【図６】合算先の計数装置が表示する合算先表示画面を示す図
【図７】合算元の計数装置が表示する合算元表示画面を示す図
【図８】計数装置が発行するレシートを示す図
【図９】計数装置が行う計数処理を示すフローチャート（その１）
【図１０】計数装置が行う計数処理を示すフローチャート（その２）
【図１１】管理装置が行う情報受信処理を示すフローチャート
【発明を実施するための形態】
【００１７】
以下、本発明の一実施形態について図面を参照して説明する。図１は全体構成を示す概略図である。遊技場にはパチンコ遊技機（以下、遊技機と称する）１に対応して貸出装置２が設置されており、２台の遊技機１及び２台の貸出装置２は中継装置３に接続されている。中継装置３はＬＡＮ４を介して例えば管理室に設置されている管理装置５に接続されていると共に複数（図１では２台）の計数装置６に接続されている。管理装置５は、遊技機１側（遊技機１及び貸出装置２）から出力された遊技信号を中継装置３を介して受信する。尚、図１では省略しているが、数１００台の遊技機１が管理装置５の管理対象となる。
【００１８】
遊技機１は、所謂デジパチとしての周知の構成を有し、払出された遊技玉を受ける上部玉受皿、上部玉受皿から溢れた玉又は図示しないレバー操作により上部玉受皿から導かれた玉を受ける下部玉受皿、上部玉受皿の玉を盤面に発射するためのハンドルが設けられている。又、遊技機１の盤面には、普図（普通図柄）入賞口、始動口、始動口への入賞に応じて表示図柄が変動する液晶表示部、液晶表示部に表示された図柄が大当たり図柄の場合に発生する大当たり時に開放する大入賞口等が設けられている。
【００１９】
貸出装置２は、遊技者が貨幣を投入するための貨幣投入口、遊技情報や残高や獲得玉等の各種情報を表示する表示機能及び遊技者からの操作入力を受付ける入力受付機能を有するタッチパネル式の液晶表示部、遊技者が会員カードを挿入するためのカード挿入口、遊技者がカード挿入口に挿入されている会員カードを排出させるために操作する排出釦等が設けられている。
【００２０】
遊技機１側からは次に示す遊技信号が出力される。
「アウト信号」：使用玉を回収するアウトＢＯＸから出力される使用媒体数（アウト）を特定可能な信号である。回収（使用、打込）玉１０玉に対して１パルスが出力されるので、「アウト信号数×１０」をアウトとして特定する。尚、遊技機１から出力される信号であっても良い。
「セーフ信号」：遊技機１から出力される払出媒体数（セーフ）を特定可能な信号である。払出１０玉に対して１パルスが出力されるので、「セーフ信号数×１０」をセーフとして特定する。尚、補給装置から出力される補給信号をセーフ信号としても良い。
「大当たり信号」：遊技機１から出力される大当たりを特定可能な信号である。大当たり中にレベル出力される状態信号であるので、大当たり信号受信中を大当たり中として特定する。
「売上信号」：貸出装置２から出力される売上情報（売上玉数、売上額）を特定可能な信号である。遊技者に対する貸出玉２５玉毎に１パルスが出力されるので、売上信号数×２５を売上玉数として特定し、売上玉数×貸出単価を売上額として特定する。
【００２１】
管理装置５は、ＣＰＵからなる制御部（本発明でいう理論獲得媒体特定手段、照合手段）、ＨＤＤ、ＲＡＭ及びＲＯＭ等からなる記憶部、Ｉ／Ｆからなる送受信部（本発明でいう遊技信号受信手段）、モニタ及びプリンタ等からなる出力部、キーボード及びマウス等からなる操作部等を備え、ＲＯＭに記憶されている制御プログラムにしたがって動作し、遊技機１側から出力された遊技信号を受信することに基づいて遊技情報を当該遊技機１に個別に付与されている遊技機ＩＤ（台番）毎に集計して特定する機能を有している。
【００２２】
管理装置５は、遊技情報の一つとして図３に示す台毎持玉情報を記憶保持しており、台番毎の持玉を管理する。台毎持玉情報は、「台番」、「持玉」、「計数装置」の項目を含み、それらの各項目の意味は次の通りである。
「台番」：対象となる遊技機１の遊技機ＩＤである。
「持玉」：対象となる遊技機１側から受信したアウト信号とセーフ信号と売上信号に基づいて特定した理論上の獲得玉数である。「売上玉数＋セーフ−アウト」の計算式により算出する。
「計数装置」：後述する持玉情報を送信した計数中の計数装置６に個別に付与されている計数装置ＩＤ（計数機識別情報）である。計数装置ＩＤが記憶されている場合には当該計数装置ＩＤの計数装置６が計数中であると判定する。尚、図３では計数装置６の記憶領域を２つ示しているが、計数装置６の記憶領域は３つ以上でも良い。
【００２３】
管理装置５は、計数装置６から後述する台番情報を受信すると、台毎持玉情報を検索し、その受信した台番情報により特定される台番の持玉を特定可能な図４に示す持玉情報を当該台番情報の送信元である計数装置６に送信する。管理装置５から計数装置６に送信される持玉情報は、「台番」、「持玉」、「計数装置」の項目を含み、それらの各項目の意味は次の通りである。
「台番」：計数装置６から受信した台番情報により特定される遊技機ＩＤである。
「持玉」：特定した台番に対応する持玉であり、図３で説明した台毎持玉情報の持玉である。
「計数装置」：特定した台番に対応する計数装置６の計数装置ＩＤであり、図３で説明した台毎持玉情報の計数装置６の計数装置ＩＤである。持玉情報の送信先の計数装置６とは異なる計数装置６の計数装置ＩＤである。
【００２４】
図４は台番「３」を特定する台番情報が計数装置６から管理装置５に送信されたことに応じて、台番「３」に対応する持玉「３８０００」及び計数装置ＩＤ「１」の計数装置６を特定可能な持玉情報を例示している。
【００２５】
複数台の計数装置６は何れも同一の構成である。図２は計数装置６の斜視図を示している。計数装置６は、遊技者が遊技により獲得した遊技玉（遊技媒体）である獲得玉（獲得媒体）を受入れる投入口７、投入口７を開放・閉鎖するスライドカバー８（図２ではスライドカバー８が投入口７を開放する開放位置にスライド移動されている状態を示す）、計数情報等の各種情報を表示する表示機能及び従業員や遊技者からの操作入力を受付ける入力受付機能を有するタッチパネル式の液晶表示部９（本発明でいう対応付操作手段、表示手段）、計数値及び当該計数値を記録した２次元コードやバーコード等が印字されたレシート（本発明でいう記録媒体）を発行するレシート発行部１０（本発明でいう発行手段）、会員カードを受付ける会員カード受付部１１、従業員が所持するＩＣカードが翳されている状態で当該ＩＣカードに記憶されている従業員情報を読取る非接触認証部１２、従業員が所持する従業員リモコン（図示せず）からの操作信号を受光するリモコン受光部１３、余り玉を放出する玉返却口１４等を備えて構成されている。
【００２６】
計数装置６は、ＣＰＵからなる制御部（本発明でいう計数手段、更新手段、対応付手段、合算手段）、ＣＦ（コンパクトフラッシュ（登録商標））、ＲＡＭ及びＲＯＭ等からなる記憶部（本発明でいう記憶手段）、Ｉ／Ｆからなる送受信部等を備え、ＣＦに記憶されている制御プログラムにしたがって動作する。
【００２７】
計数装置６は、従業員がＩＣカードを非接触認証部１２に翳したことで従業員の認証操作が行われ、スライドカバー８の施錠が解除されて投入口７が開放されると、計数可能な状態となり、従業員又は遊技者が獲得玉を投入口７に投入すると、投入口７の奥に設けられている計数センサにより獲得玉を計数し、獲得玉を計数中にあるときは計数値を逐一更新する。この場合、計数装置６は、計数値を記憶している場合、即ち、１玉目の計数からレシートを発行する発行処理が行われるまでを計数中とし、計数値を液晶表示部９に表示する（計数中表示を行う）と共に、「台番入力」釦を液晶表示部９に表示し、従業員による台番入力を可能とする。そして、従業員が「台番入力」釦を押下したことで台番入力を受付けると、その入力された台番を特定可能な台番情報を管理装置５に送信する。尚、従業員の認証操作はタグや生体認証等を利用しても良い。
【００２８】
計数装置６は、図５に示す計数中情報を記憶保持している。計数中情報は、「台番」、「持玉」、「相手装置」、「合算元計数値」、「計数値」、「合計計数値」の項目を含み、それらの各項目の意味は次の通りである。
「台番」：管理装置５から受信した持玉情報により特定される台番である。
「持玉」：管理装置５から受信した持玉情報により特定される持玉である。
「相手装置」：自身が合算先（後述する発行フラグが「１」）の場合は、管理装置５から受信した持玉情報により特定される計数装置６の計数装置ＩＤであり、合算元の計数装置６の計数装置ＩＤである。一方、自身が合算元（発行フラグが「０」）の場合は、他の計数装置６から受信した計数中情報により特定される計数装置６の計数装置ＩＤであり、合算先の計数装置６の計数装置ＩＤである。発行フラグは発行釦を有効化する条件となるフラグである。尚、図５では相手装置の記憶領域を１つ示しているが、相手装置の記憶領域は複数でも良い。
「合算元計数値」：合算元の計数装置６から送信された計数中情報により特定される合算元の計数装置６が計数した獲得玉数である。尚、図５では合算元計数値の記憶領域を１つ示しているが、上記した相手装置の記憶領域が複数であれば、合算元計数値の記憶領域も複数でも良い。
「計数値」：自身が計数した獲得玉数である。
「合計計数値」：合算元計数値と計数値との合算値であり、レシートの発行対象となる計数値である。
【００２９】
計数装置６は、台番情報を管理装置５に送信したことに応じて、管理装置５から持玉情報を受信すると、その計数値と持玉数とを照合し、それらの差が所定値以内であり整合性が取れていればレシートの発行処理を許容する。又、計数装置６は、計数を終了すると、精算ボタンを液晶表示部９に表示し、精算ボタンが押下された場合にレシートをレシート発行部１０から発行する。レシートは図示しない交換装置（ＰＯＳ端末等）における景品交換処理の対象となる。
【００３０】
次に、上記した構成の作用について、図６乃至図１１を参照して説明する。図９及び図１０は計数装置６が本発明に関連して行う計数処理を示しており、図１１は管理装置５が本発明に関連して行う情報受信処理を示している。計数装置６は図示しないメイン処理を実行中にあるときに計数処理に周期的に移行し、管理装置５は図示しないメイン処理を実行中にあるときに情報受信処理を周期的に移行する。以下、これらの処理について順次説明する。
【００３１】
（１）計数装置６が行う計数処理
計数装置６は、計数処理を開始すると、計数センサの検知により投入口７に投入された獲得玉を計数したか否か、即ち、計数を開始したか否かを判定し（Ａ１）、計数していないと判定すると（Ａ１：ＮＯ）、計数処理を終了してメイン処理に戻る。ここで、計数装置６は、計数したと判定すると（Ａ１：ＹＥＳ）、その計数に応じて計数値を加算し（Ａ２）、合算元表示画面を液晶表示部９に表示中であるか否かを判定し（Ａ３）、合算元表示画面を液晶表示部９に表示中でないと判定すると（Ａ３：ＮＯ）、計数タイマをスタートさせる（Ａ４）。この場合、計数装置６は計数タイマを所定時間（例えば２秒）だけ作動させる。
【００３２】
次いで、計数装置６は、計数タイマがタイムアップしたか否かを判定し（Ａ５）、台番入力を受付けたか否かを判定し（Ａ６）、管理装置５から持玉情報を受信したか否かを判定し（Ａ７）、他の計数装置６から合算元情報を受信したか否かを判定し（Ａ８）、他の計数装置６から計数中情報を受信したか否かを判定し（Ａ９）、他の計数装置６から計数終了情報を受信したか否かを判定し（Ａ１０）、獲得玉を計数したか否かを判定する（Ａ１１）。
【００３３】
さて、計数装置６は、台番入力を受付けたと判定すると（Ａ６：ＹＥＳ）、その入力された台番を特定可能な台番情報を管理装置５に送信し（Ａ１２）、台番情報を管理装置５に送信したことに応じて管理装置５からの持玉情報の受信を待機する（Ａ７）。ここで、計数装置６は、管理装置５から持玉情報を受信したと判定すると（Ａ７：ＹＥＳ）、発行フラグを「１」に設定、即ち発行釦を有効化し（Ａ１３）、管理装置５から受信した持玉情報に他の計数装置６の計数装置ＩＤが記憶されているか否かを判定する（Ａ１４）。
【００３４】
そして、計数装置６は、管理装置５から受信した持玉情報に他の計数装置６の計数装置ＩＤが記憶されていると判定すると（Ａ１４：ＹＥＳ）、これ以降に合算先としての動作を行う。即ち、計数装置６は、合算先表示画面の表示を液晶表示部９にて開始し（Ａ１５）、持玉情報に記憶されている計数装置ＩＤにより特定される他の計数装置６を合算元として特定し、自身の計数装置ＩＤを合算先として特定可能な合算元情報を当該合算元として特定した他の計数装置６に送信する（Ａ１６）。又、計数装置６は、このようにして合算先表示画面の表示を液晶表示部９にて開始した後では、合算先表示画面を液晶表示部９にて表示中にあると判定し（Ａ３：ＹＥＳ）、計数中情報を合算先の他の計数装置６に送信する（Ａ１７）。
【００３５】
一方、計数装置６は、他の計数装置６から合算元情報を受信したと判定すると（Ａ８：ＹＥＳ）、これ以降に合算元としての動作を行う。即ち、計数装置６は、合算元表示画面の表示を液晶表示部９にて開始し（Ａ１８）、計数中情報を合算先の計数装置６に送信し（Ａ１９）、発行フラグを「０」に設定、即ち発行釦を無効化する（Ａ２０）。又、計数装置６は、他の計数装置６から計数中情報を受信したと判定すると（Ａ９：ＹＥＳ）、合算元計数値を更新する（Ａ２１）。
【００３６】
又、計数装置６は、計数タイマがタイムアップしたと判定すると（Ａ５：ＹＥＳ）、発行フラグを「１」に設定しているか否か、即ち発行釦を有効化しているか否かを判定し（Ａ２２）、発行フラグを「１」に設定していると判定すると（Ａ２２：ＹＥＳ）、発行釦が押下されたか否かを判定する（Ａ２３）。計数装置６は、発行釦が押下されたと判定すると（Ａ２３：ＹＥＳ）、レシートを発行する発行処理に移行する（Ａ２４）。この発行処理を行う場合には、周知のように台毎持玉情報の持玉数（理論獲得媒体数）と計数値との差が許容範囲内に無い場合にエラー報知（表示又は音出力）する照合処理を行うが、合算先の計数装置６が特定される合算発行処理を行う場合には、その合計計数値と持玉数とを照合する。
【００３７】
そして、計数装置６は、発行処理を終了すると、計数終了情報を管理装置５及び合算元の他の計数装置６に送信し（Ａ２５）、計数中情報を初期化し（Ａ２６）、全てのフラグを「０」に設定し（Ａ２７）、計数処理を終了してメイン処理に戻る。尚、合算元の他の計数装置６は、このようにして合算先の計数装置６が計数終了情報を送信したことに伴い、合算先の計数装置６から計数終了情報を受信した判定すると（Ａ１０：ＹＥＳ）、計数が終了したとして、計数中情報を初期化し（Ａ２６）、全てのフラグを「０」に設定し（Ａ２７）、計数処理を終了してメイン処理に戻る。
【００３８】
具体的な例として、計数装置ＩＤ「２」の計数装置６（２番計数機）にて遊技機ＩＤ「３」の遊技機１（３番台）の台番入力を受付けた場合を説明する。計数装置ＩＤ「２」の計数装置６は、遊技機ＩＤ「３」の遊技機１の台番入力を受付けると、３番台を特定可能な台番情報を管理装置５に送信し、管理装置５は、計数装置ＩＤ「２」の計数装置６から送信された３番台を特定可能な台番情報を受信すると、図４で説明した持玉情報を台番情報の送信元である計数装置ＩＤ「２」の計数装置６に送信する。計数装置ＩＤ「２」の計数装置６は、管理装置５から送信された図４で説明した持玉情報を受信すると、この場合は、管理装置５から受信した持玉情報に他の計数装置６の計数装置ＩＤ「１」（１番計数機）が記憶されているので、これ以降に合算先としての動作を行い、合算先表示画面の表示を液晶表示部９にて開始し、計数装置ＩＤ「１」の計数装置６を合算元として特定し、合算元情報を合算元の計数装置ＩＤ「１」の計数装置６に送信する。
【００３９】
一方、計数装置ＩＤ「１」の計数装置６は、計数装置ＩＤ「２」の計数装置６から送信された合算元情報を受信すると、合算元情報の送信元である計数装置ＩＤ「２」の計数装置６を合算先として認識し、これ以降に合算元としての動作を行い、合算元表示画面の表示を液晶表示部９にて開始し、計数中情報を合算先の計数装置ＩＤ「２」の計数装置６に送信する。合算先の計数装置ＩＤ「２」の計数装置６は、このようにして合算元の計数装置ＩＤ「１」の計数装置６から送信された計数中情報を受信すると、合算元計数値を更新する。
【００４０】
図６は合算先の計数装置ＩＤ「２」の計数装置６が表示する合算先表示画面２１を示している。合算先の計数装置ＩＤ「２」の計数装置６は、合算先表示画面２１において、台番入力を受付ける台番入力釦２１ａを表示していると共に、自身が計数した計数値（図６では「１８０００」玉）を計数値表示領域２１ｂに表示し、合算元の計数装置ＩＤ「１」の計数装置６から受信した計数中情報により特定される合算元の計数値（図６では「１５０００」玉）を合算元計数値表示領域２１ｃに表示し、それら計数値の合計である合計計数値（図６では「３３０００」玉）を合計計数値表示領域２１ｄに表示し、台番入力を受付けた台番である３番台の持玉（図６では「３８０００」玉）を持玉表示領域２１ｅに表示する。この場合、計数値表示領域２１ｂに表示される自身が計数した計数値、合算元計数値表示領域２１ｃに表示される合算元の計数値、合計計数値表示領域２１ｄに表示される合計計数値は逐一更新表示される。
【００４１】
図７は合算元の計数装置ＩＤ「１」の計数装置６が表示する合算元表示画面２２を示している。合算元の計数装置ＩＤ「１」の計数装置６は、合算元表示画面２２において、台番入力を受付ける台番入力釦２２ａを表示していると共に、自身が計数した計数値（図７では「１５０００」玉）を計数値表示領域２２ｂに表示し、その自身が計数した計数値を合算先の計数装置ＩＤ「２」の計数装置６にて合算していることを知らせる「２番計数機にて合算計数中！！」という告知メッセージを告知メッセージ表示領域２２ｃに表示し、台番入力を受付けた台番である３番台の持玉（図７では「３８０００」玉）を持玉表示領域２２ｄに表示する。この場合、計数値表示領域２２ｂに表示される自身が計数した計数値は逐一更新表示される。
【００４２】
図８は、合算先の計数装置ＩＤ「２」の計数装置６にて発行釦が押下されたことに応じて発行されるレシート（合算レシート）３１を示している。合算先の計数装置ＩＤ「２」の計数装置６から発行されるレシート３１には、自身が計数した計数値（図８では「２００００」玉）が合算先計数値印字領域３１ａに印字され、自身の計数装置ＩＤ「２」（図８では「２番計数機」）が合算先計数機印字領域３１ｂに印字され、合算元の計数装置ＩＤ「１」の計数装置６が計数した計数値（図８では「１８０００」玉）が合算元計数値印字領域３１ｃに印字され、合算元の計数装置ＩＤ「１」（図８では「１番計数機」）が合算元計数機印字領域３１ｄに印字され、自身が計数した計数値と合算元の計数装置ＩＤ「１」の計数装置６が計数した計数値との合計である合計計数値が合計計数値印字領域３１ｅに印字される。又、合計計数値をコード化した２次元コード（ＱＲコード）、遊技場名、レシートの有効期限等も併せて印字される。
【００４３】
（２）管理装置５が行う情報受信処理
管理装置５は、情報受信処理を開始すると、計数装置６から台番情報を受信したか否かを判定すると共に（Ｂ１）、計数装置６から計数終了情報を受信したか否かを判定する（Ｂ２）。ここで、管理装置５は、計数装置６から台番情報を受信したと判定すると（Ｂ１：ＹＥＳ）、台番情報により特定される台番に対応する持玉情報を図３の台毎持玉情報により特定して台番情報の送信元である計数装置６に送信し（Ｂ３）、台毎持玉情報において持玉情報の送信先の計数装置６の計数装置ＩＤを何れかの台番に対応付けて記憶しているか否かを判定する（Ｂ４）。そして、管理装置５は、持玉情報の送信先の計数装置６の計数装置ＩＤを何れかの台番に対応付けて記憶していないと判定すると（Ｂ４：ＮＯ）、持玉情報の送信先の計数装置６の計数装置ＩＤを台毎持玉情報における台番に対応付けて記憶し（Ｂ５）、情報受信処理を終了してメイン処理に戻る。
【００４４】
一方、管理装置５は、持玉情報の送信先の計数装置６の計数装置ＩＤを何れかの台番に対応付けて記憶していると判定すると（Ｂ４：ＹＥＳ）、該当台番にて記憶しているか否かを判定する（Ｂ６）。管理装置５は、該当台番にて記憶していると判定すると（Ｂ６：ＹＥＳ）、台番情報の再送とし、情報受信処理を終了してメイン処理に戻る。一方、管理装置５は、該当台番にて記憶していないと判定すると（Ｂ６：ＮＯ）、送信元の計数装置６の計数装置ＩＤを記憶する台番における送信元の計数装置６の計数装置ＩＤを削除し（Ｂ７）、持玉情報の送信先の計数装置６の計数装置ＩＤを台毎持玉情報における台番に対応付けて記憶し（Ｂ５）、情報受信処理を終了してメイン処理に戻る。
【００４５】
又、管理装置５は、計数装置６から計数終了情報を受信すると（Ｂ２：ＹＥＳ）、送信元の計数装置６にて計数が終了したとし、台毎持玉情報における送信元の計数装置６の計数装置ＩＤを記憶する台番において、全て（合算元及び合算先）の計数装置６との対応付を解消して持玉を初期化し（Ｂ８）、情報受信処理を終了してメイン処理に戻る。尚、管理装置５は、計数装置６から計数終了情報を受信したことに応じて周知の計数履歴や計数集計を更新する。
【００４６】
以上に説明したように本実施形態によれば、次に示す効果を得ることができる。
複数の計数装置６が計数処理中にあるときに、それら計数処理中の複数の計数装置６を対応付け、それら複数の計数装置６による計数値を合算し、各々の計数値を合算した合計計数値を特定可能に発行処理を行うようにしたので、遊技者が遊技により獲得した非常に多数の獲得媒体を計数する場合に、複数の計数装置６による計数処理を同時に実行することができ、遊技者が遊技により獲得した遊技媒体である獲得媒体を計数するのに要する計数時間を短縮することができ、しかも、それら計数処理による計数値を合算した合算値を１枚のレシートで発行することで無駄な発行処理を抑えることができる。
【００４７】
又、合算相手である計数装置６や当該合算相手である計数装置６による計数値を表示するようにしたので、その計数装置６が対応付られていることを特定することができ、その計数装置６を扱っている人物（計数人物）を目視する等して確認したり計数状況を把握したりすることができる。
【００４８】
又、他の遊技者の計数値との混同を防止する必要があるが、同一の遊技機１を遊技したことを条件として同一の遊技者を特定するようにしたので、その混同を防止することができる。又、複数の計数装置６により計数した計数値を合算した合算値と理論獲得媒体数とを照合するようにしたので、照合処理を適切に行うことができ、不正防止を適切に行うことができる。
【００４９】
更に、記録媒体であるレシートに複数の計数装置６により計数処理された各計数値が記録されるので、仮に操作ミス等により混同した場合であっても、複数の計数装置６により計数処理された各計数値を記録媒体により特定することができ、適切に対応することができる。
【００５０】
本発明は、上記した実施形態にのみ限定されるものではなく、以下のように変形又は拡張することができる。
合算先の計数装置と合算元の計数装置との対応付けを管理装置を介して行うようにしたが、合算先の計数装置と合算元の計数装置との対応付けを管理装置を介することなく行うようにしても良く、即ち、計数装置が相手先の計数装置を指定し、相手先を指定した計数装置と当該相手先を指定された計数装置との間で対応付けを行い、計数値を合算して発行処理を行うようにしても良い。
計数値を合算する場合に、遊技した台番が同一であれば同一人物が遊技したとして合算を許容する構成としたが、他に合算先の計数装置と合算元の計数装置との双方にて指紋や虹彩等による認証が正であることを条件として合算を許容する構成としても良い。又、このような認証を行うことなく合算を許容する構成としても良い。
【００５１】
友人同士や家族同士で合算したいとの要望もあるので、例えば計数装置にカメラ等の撮像手段を備え、その撮像手段にて撮像した人物画像を相手先の計数装置に表示して確認して合算発行処理を行うようにしても良い。又、各遊技者が遊技した遊技機を各々対応付けておき、その対応付けた遊技機を計数時に特定することで合算発行処理を行うようにしても良い。
合算先の計数装置のみで発行処理を可能としたが、合算元の計数装置のみで発行処理を可能としても良いし、又、双方で発行処理を可能にしても良い。尚、何れの場合も一方の計数装置で発行処理を行った場合は、他方の計数装置での計数処理を終了する。
レシートには各計数装置の計数値が印字されるようにしたが、各計数装置の計数値をコード化した２次元コード（ＱＲコード）やバーコードが印字されるようにしても良い。この場合は、交換装置にて２次元コードやバーコードが読取られることで各計数装置の計数値が特定される。
【００５２】
合算先表示画面及び合算元表示画面や記録媒体に記録する情報における各計数装置の計数値を特定可能とは、例示したように直接的に特定するだけでなく、一方の計数値と合計計数値とを示すことで他方の計数値を間接的に特定する概念も含まれる。
記録媒体としては計数値等が特定可能であれば紙片のレシート以外にＩＣコインやＩＣカード等を採用しても良い。
発行釦について合算発行時にも通常の発行釦と同一の発行釦を利用する構成としたが、別途合算発行釦を設けても良い。
計数中情報を受信した場合に計数タイマをスタートさせても良い。このようにすれば、合算元の計数装置が計数中の場合における発行処理を防止することが可能となる。
持玉数を「売上玉数＋セーフ−アウト」の計算式により特定したが、持玉数を直接特定可能な持玉信号や、「セーフ−アウト」等の差数を特定可能な差数信号等を受信して持玉数を特定する等しても良い。
【００５３】
貸出媒体としては現金を対価とした売上玉だけでなく、所謂貯玉等の有価価値を対価として貸出された所謂再プレイ玉等を含めても良い。
対象となる遊技機は他にスロットマシン等であっても良く、遊技媒体はメダル等であっても良い。
計数装置が行う本発明に関連する処理の一部を中継装置や管理装置等が行う構成としても良いし、同様に、管理装置が行う本発明に関連する処理の一部を中継装置や計数装置等が行う構成としても良い。
【符号の説明】
【００５４】
図面中、１は遊技機、２は貸出装置、５は管理装置（理論獲得媒体特定手段、照合手段）、６は計数装置（計数手段、記憶手段、発行手段、更新手段、対応付操作手段、対応付手段、合算手段、表示手段）である。
【図１】
0005420998.tif 000002
【図２】
0005420998.tif 000003
【図３】
0005420998.tif 000004
【図４】
0005420998.tif 000005
【図５】
0005420998.tif 000006
【図６】
0005420998.tif 000007
【図７】
0005420998.tif 000008
【図８】
0005420998.tif 000009
【図９】
0005420998.tif 000010
【図１０】
0005420998.tif 000011
【図１１】
0005420998.tif 000012